(57)【要約】【課題】電送特性、誘電率、耐摩耗性、耐油性等の特性に優れた通信ケーブルの提供を目的とする。【解決手段】３本の信号線２…とドレインワイヤー３とを撚り合わせてなる撚り線４の外面に、シールドテープ５を巻き付けてシールド層を形成している。シールドテープ５を巻き付けてなるシールド層の外面に、ポリエステル繊維からなるテープ状の押巻き体６を螺旋状に巻き付けている。押巻き体６の外面に、ポリウレタンからなるシース７を一体的に被覆している。信号線２は、導体２Ａの外面にポリオレフィンからなる絶縁体を被覆して内側絶縁層２Ｂを形成し、内側絶縁層２Ｂの外面にポリウレタンからなる絶縁体を被覆して外側絶縁層２Ｃを形成している。【選択図】図２
2009224043.tif 000002
【特許請求の範囲】
【請求項１】
複数本の信号線を撚り合わせてなる撚り線の外面に、電気的な干渉を防ぐためのシールド層を形成し、該シールド層の外面にシースを被覆してなる通信ケーブルであって、
前記信号線は、
導電性を有する導体の外面に、ポリオレフィンからなる絶縁体を被覆して内側絶縁層を形成し、
前記内側絶縁層の外面に、ポリウレタンからなる絶縁体を被覆して外側絶縁層を形成したものであることを特徴とする
通信ケーブル。
【請求項２】
前記内側絶縁層及び外側絶縁層の一方に、該内側絶縁層と外側絶縁層とを互いに密着するための接着添加剤を添加したことを特徴とする
請求項１に記載の通信ケーブル。
【請求項３】
前記導体は、導電性を有する複数本の錫めっき軟銅線を撚り合わせて形成したことを特徴とする
請求項１又は２に記載の通信ケーブル。
【請求項４】
前記内側絶縁層の厚さは、０．２０ｍｍ〜０．２４ｍｍの範囲に含まれる厚さに形成したことを特徴とする
請求項１〜３のいずれか一つに記載の通信ケーブル。
【請求項５】
前記外側絶縁層の厚さは、０．１０ｍｍ〜０．１５ｍｍの範囲に含まれる厚さに形成したことを特徴とする
請求項１〜４のいずれか一つに記載の通信ケーブル。
【発明の詳細な説明】
【技術分野】
【０００１】
この発明は、例えば電気信号を送信するための信号線、或いは、通信用の通信線等に用いられる通信ケーブルに関する。
【背景技術】
【０００２】
従来、前記通信ケーブルとしては、例えば複数本の絶縁線心と、該絶縁線心の外周に施されたシースを備えたケーブルにおいて、シースを、ポリオレフィン系エラストマーからなる被覆材で構成された特許文献１の可動部用耐溶剤性ケーブルがある。
【特許文献１】特許第３９５６０３３号公報
【発明の開示】
【発明が解決しようとする課題】
【０００３】
しかし、特許文献１の可動部用耐溶剤性ケーブルは、絶縁線心の外周に被覆されたシースをポリオレフィン系エラストマーからなる被覆材で形成しているが、ポリオレフィンは耐摩耗性が悪いため、ケーブルを屈曲するか折曲げる等した際に、他のケーブルと接触するシースの接触部分に亀裂やひび割れ等が発生しやすい。また、シースをポリウレタンで形成した場合、ポリウレタンは伝送特性が悪いので、隣り合う絶縁線心同士が互いに干渉しあうだけでなく、外部から与えられる電磁波やノイズ等による影響を受けやすくなる。
【０００４】
この発明は前記問題に鑑み、塩化ビニル等の規制化学物質を使用せず、伝送特性、誘電率、耐摩耗性、耐油性等の特性に優れた通信ケーブルの提供を目的とする。
【課題を解決するための手段】
【０００５】
この発明は、複数本の信号線を撚り合わせてなる撚り線の外面に、電気的な干渉を防ぐためのシールド層を形成し、該シールド層の外面にシースを被覆してなる通信ケーブルであって、前記信号線は、導電性を有する導体の外面に、ポリオレフィンからなる絶縁体を被覆して内側絶縁層を形成し、前記内側絶縁層の外面に、ポリウレタンからなる絶縁体を被覆して外側絶縁層を形成した通信ケーブルであることを特徴とする。
【０００６】
この発明の態様として、前記内側絶縁層及び外側絶縁層の一方に、該内側絶縁層と外側絶縁層とを互いに密着するための接着添加剤を添加することにより、内側絶縁層と外側絶縁層との密着性が良くなる。ケーブルの屈曲時或いは折曲げ時において、内側絶縁層と外側絶縁層との密着面が剥離するか、密着面に隙間が生じることがなく、耐久性を向上させることができる。
【０００７】
また、この発明の態様として、前記導体は、導電性を有する複数本の錫めっき軟銅線を撚り合わせて形成することができる。
【０００８】
また、この発明の態様として、前記内側絶縁層の厚さは、０．２０ｍｍ〜０．２４ｍｍの範囲に含まれる厚さに形成することができる。
【０００９】
また、この発明の態様として、前記外側絶縁層の厚さは、０．１０ｍｍ〜０．１５ｍｍの範囲に含まれる厚さに形成することができる。
【００１０】
導体は、例えば錫めっき軟銅線等の導電性を有する金属線で構成することができるが、錫めっき軟銅線と略同等の特性を有する材質であれば、錫めっき軟銅線以外の材質を用いてもよい。
【００１１】
内側絶縁層の絶縁体は、例えばポリオレフィン等の伝送特性、誘電率が良い材質で構成することができるが、ポリオレフィンと略同等の特性を有する材質であれば、ポリオレフィン以外の材質を用いてもよい。
【００１２】
外側絶縁層の絶縁体は、例えばポリウレタン等の耐摩耗性、耐油性が高い材質で構成することができるが、ポリウレタンと略同等の特性を有する材質であれば、ポリウレタン以外の材質を用いてもよい。
【発明の効果】
【００１３】
この発明によれば、信号線の導体に被覆された内側絶縁層を、伝送特性、誘電率等の特性に優れたポリオレフィンによって構成しているので、複数本の信号線を撚り合わせて配線する等しても、隣り合う信号線同士が互いに干渉しあうことがなく、外部から与えられる電磁波やノイズ等による影響が少なくなるため、伝送特性の向上を図ることができる。また、内側絶縁層に被覆された外側絶縁層を、耐摩耗性、耐油性等の特性に優れたポリウレタンによって構成しているので、ケーブルの配線時において、信号線を屈曲するか折曲げる等しても、外側絶縁層に亀裂やひび割れ等が発生しにくく、摩耗しにくい材質であるため、耐久性の向上を図ることができる。これにより、ケーブル全体の特性が向上する。
【発明を実施するための最良の形態】
【００１４】
この発明は、伝送特性、誘電率、耐摩耗性、耐油性等の特性が向上した通信ケーブルを提供するという目的を、通信ケーブル内部に配線される信号線を、導電性を有する導体の外面に、ポリオレフィンからなる絶縁体を被覆して内側絶縁層を形成し、該内側絶縁層の外面に、ポリウレタンからなる絶縁体を被覆して外側絶縁層を形成することで達成した。
【実施例】
【００１５】
この発明の一実施例を以下図面に基づいて詳述する。
【００１６】
図面は、電気信号を送信するための信号線として用いられる通信ケーブルを示している。図１及び図２に於いて、この通信ケーブル１は、同一線径に形成された３本の信号線２…を螺旋状に撚り合わせる際に、ノイズの発生を抑制するための錫めっき軟銅線を撚り合わせてなるドレインワイヤー３を２本の信号線２，２の谷間に沿って長さ方向に配置している。信号線２…とドレインワイヤー３とを１本に撚り合わせてなる撚り線４の外面には、電気的な干渉を防ぐためのアルミニウムがラミネートされたシールドテープ５を螺旋状に巻き付けてシールド層を形成している。シールドテープ５を巻き付けてなるシールド層の外面には、ポリエステル繊維からなるテープ状の押巻き体６を螺旋状に巻き付けている。押巻き体６の外面には、ポリウレタンからなるシース７を一体的に被覆している。
【００１７】
３本の信号線２…は、赤色に着色された信号線２と、黄色に着色された信号線２と、黒色に着色された信号線２とからなり、図２に示すように、赤色の信号線２は上方中央に配置され、黄色の信号線２は左側下方に配置され、黒色の信号線２は右側下方に配置されている。なお、信号線２…の識別色を、赤色、黄色、黒色以外の所望する識別色に変更してもよい。また、信号線２の本数を、２本或いは３本以上の多数本に変更してもよい。
【００１８】
信号線２…の断面構造は同一であるので、１本の導線の断面構造を図２に基づいて詳述する。この信号線２は、導電性を有する１２本の錫めっき軟銅線を撚り合わせてなる導体２Ａの外周面長さ方向に、ポリオレフィンからなる絶縁体を被覆して内側絶縁層２Ｂを形成し、内側絶縁層２Ｂの外周面長さ方向に、ポリウレタンからなる絶縁体を被覆して外側絶縁層２Ｃを形成している。
【００１９】
内側絶縁層２Ｂは、着色剤と接着添加剤とを添加してなる伝送特性及び誘電率が良いポリオレフィンを主とする材質で構成している。内側絶縁層２Ｂの標準的厚さは、約０．２０ｍｍ〜約０．２４ｍｍの範囲に含まれる厚さに形成している。実施例では、内側絶縁層２Ｂの厚さを約０．２０ｍｍに形成している。内側絶縁層２Ｂの絶縁体は、ポリオレフィンで構成されている。
【００２０】
実施例では、３本の信号線２…を識別する必要があるので、内側絶縁層２Ｂを構成する着色剤の一例として、赤色、黄色、黒色のカラーチップを使用しているが、信号線２の本数や用途に応じて所望する色のカラーチップを使用してもよい。
【００２１】
外側絶縁層２Ｃは、離型添加剤を添加してなる耐摩耗性及び耐油性に優れたポリウレタンを主とする材質で構成している。外側絶縁層２Ｃの標準的厚さは、約０．１０ｍｍ〜約０．１５ｍｍの範囲に含まれる厚さに形成している。実施例では、外側絶縁層２Ｃの厚さを約０．１０ｍｍに形成している。
【００２２】
実施例では、外側絶縁層２Ｃを構成するポリウレタンの一例として、ＥＴ３５８−１０（商品名）を使用しているが、その他の商品名からなるポリウレタンを使用してもよい。
【００２３】
つまり、導体２Ａの外周面に内側絶縁層２Ｂを被覆し、内側被覆層の外周面に外側絶縁層２Ｃを被覆して、信号線２全体の外径寸法が約１．３８ｍｍ〜約１．３９ｍｍとなるように形成している。なお、内側絶縁層２Ｂの厚さを約０．２０ｍｍ以下或いは約０．２４ｍｍ以上に変更するか、外側絶縁層２Ｃの厚さを約０．１０ｍｍ以下或いは約０．１５ｍｍ以上に変更する等してもよい。
【００２４】
内側絶縁層２Ｂの絶縁体には、接着添加剤を所定量添加しているので、その接着添加剤の特性により内側絶縁層２Ｂと外側絶縁層２Ｃとの密着面が隙間なく強固に接着される。これにより、接着添加剤が添加されていない信号線２よりも、内側絶縁層２Ｂと外側絶縁層２Ｃとの密着性が良くなる。通信ケーブル１の屈曲時或いは折曲げ時において、内側絶縁層２Ｂと外側絶縁層２Ｃとの密着面が剥離するか、該密着面に隙間が生じることがなく、耐久性が向上する。
【００２５】
導体２Ａは、線径約０．１８ｍｍに形成された導電性を有する１２本の錫めっき軟銅線を所定のピッチで螺旋状に撚り合わせて１本に束ねることにより、１本の導体２Ａ全体の外径寸法が約０．７０ｍｍとなるように形成している。
【００２６】
なお、錫めっき軟銅線の線径を約０．１８ｍｍ以下或いは約０．１８ｍｍ以上の所望する寸法に変更するか、錫めっき軟銅線の本数を１２本以下或いは以上の所望する本数に変更してもよい。また、導体２Ａの外径寸法を約０．７０ｍｍ以下或いは約０．７０ｍｍ以上の所望する寸法に変更してもよい。
【００２７】
ドレインワイヤー３は、線径約０．１８ｍｍに形成された１２本の錫めっき軟銅線を螺旋状に撚り合わせて１本に束ねたものであり、図２に示す左側下方に配置した黄色の信号線２と、右側下方に配置した黒色の信号線２との谷間に沿って長さ方向に配置している。なお、ドレインワイヤー３を赤色信号線２と黄色信号線２の間、赤色信号線２と黒色信号線２の間に配置してもよい。
【００２８】
実施例では、信号線２…とドレインワイヤー３とを１本に撚り合わせてなる撚り線４の外径寸法が約２．９５ｍｍとなるように形成しているが、撚り線４の外径寸法を約２．９５ｍｍ以下或いは約２．９５ｍｍ以上の所望する寸法に変更してもよい。
【００２９】
シールドテープ５は、幅約１５ｍｍに形成されたポリエチレンテレフタレート(ＰＥＴ樹脂)からなるテープの片面全長にアルミニウムを均一にラミネートしたものであり、アルミニウムがラミネートされた一方の面を内側にして、信号線２…とドレインワイヤー３とを所定のピッチで螺旋状に撚り合わせてなる撚り線４の外周面に沿って螺旋方向に巻き付け、撚り線４の外周面に電磁波等の電気的な干渉を防ぐためのシールド層を形成する。これにより、シールドテープ５を巻き付けてなるシールド層の外径寸法が約３．０５ｍｍ〜約３．１５ｍｍとなるように形成している。
【００３０】
なお、シールドテープ５の巻き付け外径寸法を約３．０５ｍｍ以下或いは約３．１５ｍｍ以上の所望する寸法に変更してもよい。また、ＰＥＴ樹脂製のシールドテープ５の代わりに、例えばポリエステルテープの片面全長にアルミ箔を貼り合わせてなるアルミテープ、スチールテープ、銅テープ等を用いてもよい。
【００３１】
押巻き体６は、幅約１５ｍｍに形成されたポリエステル繊維からなり、前記撚り線４に巻回された遮光テープの外周面に沿って螺旋方向に巻き付けることにより、押巻き体６を巻き付けてなる外径寸法が約３．１５ｍｍ〜約３．２５ｍｍとなるように形成している。なお、押巻き体６の巻き付け外径寸法を約３．１５ｍｍ以下或いは約３．２５ｍｍ以上の所望する寸法に変更してもよい。
【００３２】
シース７は、黒色の着色剤を添加してなるポリウレタンからなり、前記遮光テープの外面に巻回された押巻き体６の外周面全長に被覆して、シールドテープ５を巻き付けてなる通信ケーブル１を形成している。これにより、シース７を被覆してなる通信ケーブル１の外径寸法が約４．３５ｍｍとなるように形成している。
【００３３】
実施例では、シース７の標準的厚さを約０．５５ｍｍに形成しているが、シース７の厚さを約０．５５ｍｍ以下或いは約０．５５ｍｍ以上の所望する厚さに変更してもよい。また、シース７を構成するポリウレタンの一例として、外側絶縁層２Ｃと同一のＥＴ３５８−１０（商品名）を使用し、着色剤の一例として、マスターカラー＝８８０ＭＢ５０ブラック（商品名）を使用しているが、その他の商品名からなるポリウレタンと接着剤を使用してもよい。
【００３４】
本発明の通信ケーブル１は、信号線２の導体２Ａに被覆された内側絶縁層２Ｂを、伝送特性、誘電率等の特性に優れたポリオレフィンによって構成しているので、複数本の信号線２…を撚り合わせて配線する等しても、隣り合う信号線２…同士が互いに干渉しあうことがなく、外部から与えられる電磁波やノイズ等による影響が少なくなるため、伝送特性の向上を図ることができる。また、内側絶縁層２Ｂに被覆された外側絶縁層２Ｃを、耐摩耗性、耐油性等の特性に優れたポリウレタンによって構成しているので、通信ケーブル１の配線時において、信号線２を屈曲するか折曲げる等しても、外側絶縁層２Ｃに亀裂やひび割れ等が発生しにくく、摩耗しにくい材質であるため、耐久性の向上を図ることができる。これにより、通信ケーブル１全体の特性が向上する。
【００３５】
また、本発明の通信ケーブル１には、塩化ビニル等の規制化学物質が使用されていない。つまり、焼却時においてハロゲンガスを発生させるような使用が規制された規制化学物質が含まれておらず、一般に、ノンハロゲン、ハロゲンフリーと言える自然環境に与える影響が少ないケーブルである。
【００３６】
なお、規制化学物質とは、例えばＲｏＨＳ規制化学物質である鉛（Ｐｂ）、カドミウム（Ｃｄ）、水銀（Ｈｇ）、六価クロム（Ｃｒ６＋）、ポリ臭化ビフェニル（ＰＢＢ）、ポリ臭化ジフェニルエーテル（ＰＢＤＥ）である。
【００３７】
本発明は、前記実施例の構成のみに限定されるものではなく、請求項に示される技術思想に基づいて応用することができ、多くの実施の形態を得ることができる。
【００３８】
実施例のポリオレフィンに代わる接着添加剤の他の例として、例えば米国デュポン社製のポリテトラフルオロエチレン（ＰＴＦＥ）を使用してもよい。ポリテトラフルオロエチレンは、ポリオレフィンと比較して耐油性、誘電率がやや良であるが、実施例と略同等の作用及び効果が得られる。
【図面の簡単な説明】
【００３９】
【図１】通信ケーブルの内部構造を示す端部斜視図。
【図２】図１の通信ケーブルの内部構造を示す縦断端面図。
【図３】信号線の絶縁体被覆構造を示す縦断端面図。
【符号の説明】
【００４０】
１…通信ケーブル
２…信号線
２Ａ…導体
２Ｂ…内側絶縁層
２Ｃ…外側絶縁層
３…ドレインワイヤー
４…撚り線
５…シールドテープ
６…押巻き体
７…シース
【図１】
2009224043.tif 000003
【図２】
2009224043.tif 000004
【図３】
2009224043.tif 000005